(57)【要約】改善された槍試合用具は、二つのスティック（４１，４３）を備えており、これらのスティックは、可撓性のあるロープのような連結部材（４５）で互いにつながれている。連結部材は、それぞれのスティックの端部内にしっかりと固定されている。連結部材は、互いにそれぞれのスティックの動きを与えるのに十分な長さである。各スティックは、その長さに沿って二つの位置リング（４０，４２）を備えている。上リングは、各競技者の上方の手に対する通常の位置を示し、第１リング及び第２リングの両方で選択された競技者に第１の不利な位置を示し、第２のリングは、選択された競技者にさらに不利な位置を示す。
2005516749.tif 000002
【特許請求の範囲】
【請求項１】
改善された槍試合用具であって、
前記改善された槍試合用具は、それぞれのスティックの端部内にしっかりと固定された可撓性のある連結部材で互いにつながれた二つの細長いスティックを備えており、
前記連結部材は、それぞれのスティックに相対的な動きを与えるように十分にしっかりと固定されており、
各槍試合スティックは、各スティックの長さに沿って予め決められた位置に配置された二つの表示を有しており、
前記表示は、三つの位置での、選択された位置を、選択された競技者の上方の手に対して提供し、
前記三つの位置は、
槍試合競技用の通常の位置である第１の位置と、
前記槍試合競技で選択された競技者への不利な立場のためにある前記第１の位置よりも下方にある第２の位置と、
前記槍試合競技で選択された競技者へのさらに不利な立場のためにある前記第２の位置よりも下方にある第３の位置であることを特徴とする槍試合用具。
【請求項２】
請求項１に記載の槍試合用具において、
第１の表示と第２の表示との間の間隔は、およそ手の横幅と等しいことを特徴とする槍試合用具。
【請求項３】
請求項１に記載の槍試合用具において、
前記第１の位置では、上方の手の下端は最上の表示に隣接して配置され、前記第２の位置では、前記上方の手は二つの表示の間に配置され、前記第３の位置では、前記上方の手の上端が、下方の表示に隣接して配置されていることを特徴とする槍試合用具。
【請求項４】
請求項１に記載の槍試合用具において、
各スティックは、スティックの下端部に、輪に形成された可撓性のあるひも要素を有しており、競技者は、他方の手をひも要素を通して伸ばし、上記スティックの下端を握るようになっていることを特徴とする槍試合用具。
【発明の詳細な説明】
【技術分野】
【０００１】
本発明は、概ね、レクリエーション用具に関するものであり、より詳細には、可撓性の綱状連結部材によって連結された二つの槍試合（jousting）スティックを含む槍試合用具に関する。
【背景技術】
【０００２】
本発明は、以下により詳細に説明された米国特許第３，３２３，７９６号を改善したものである。簡単に述べると、米国特許第３，３２３，７９６号の用具は、二つの手掴み可能なスティックを備えており、この二つのスティックは、比較的短くて可撓性のある連結部材によってつながれ、その連結部材の両端部は、二つのスティックの隣接した端部にしっかりと固定されており、そのため、一連の用具を形成している。米国特許第３，３２３，７９６号の用具は、体力、技能及び機敏さを伴う槍試合コンテストで二人の人間によって便利良く用いられることができる。この米国特許第３，３２３，７９６号の特許は、成功であることを証明しているが、その発明には、肉体的能力／機敏さで不釣り合いがあることをなくすように一方の競技者に利点を与えるための原理がない。
【発明の開示】
【発明が解決しようとする課題】
【０００３】
本発明は、上記米国特許第３，３２３，７９６号に関連して、そのような可能性を提供する。従って、本発明は、先の槍試合用具を、肉体的能力で不釣り合いである競技者によってうまくかつ公平に用いられることができるようにし、従って、用具の享楽を発展させる。
【課題を解決するための手段】
【０００４】
従って、本発明は、それぞれのスティックの端部内にしっかりと固定された可撓性のある連結部材で互いにつながれた二つの細長いスティックを備える、改善された槍試合用具である。連結部材は、それぞれのスティックに相対的な動きを与えるように十分にしっかりと固定されており、各槍試合スティックは、各スティックの長さに沿って予め決められた位置に配置された二つの表示を有しており、その表示は、三つの位置での、選択された位置を、選択された競技者の上方の手に対して提供する。三つの位置は、槍試合競技用の通常の位置である第１の位置、槍試合競技で選択された競技者への不利な立場のためにある前記第１の位置よりも下方にある第２の位置、及び槍試合競技で選択された競技者へのさらに不利な立場のためにある前記第２の位置よりも下方にある第３の位置である。
【発明を実施するための最良の形態】
【０００５】
図１には、上記米国特許第３，３２３，７９６号に記述された槍試合（jousting）用具１０を示している。各槍試合スティック１２，１４は、参加者の略腰の高さである長さを有する方が好ましい。もっと短い長さのスティックは、子供達に提供されることができる。逆に、もっと長いスティックは、非常に背の高い競技者に提供されることができる。スティック１２，１４は、木材で作られているのが好ましいが、アルミニウム管あるいは他の類似した物質を用いることができる。スティック１２，１４の外形は、手の握りに適応するために円形である方が好ましいが、他の断面形状、例えば六角形などを用いることができる。
【０００６】
連結部材１８は、外観上及び特質上、ロープのようなものであるのが好ましく、自然の物質か合成物質のどちらかで作られることができる。その物質は、可撓性があり、かつ丈夫でなければならない。そのような物質の一例が、編組状のポリプロピレンである。二つのスティック１２，１４の自由端部１９と自由端部１９ａとの間の連結部材１８の長さは、ある程度まで変更することが可能であるが、一般的にスティックの長さの略７分の１である。図２に示されるように、連結部材１８の各端部は、スティック１２，１４の凹部２６内にそれぞれしっかりと固定されている。この各凹部は、それぞれ、奥行きが略２インチ（略５．０８ｃｍ）であり、かつ、固定物質を受け入れるためのオーバーサイズ直径を有している。このような構造は、競技者を傷つける場合があり得るフック及びアイレットよりも好ましい。
【０００７】
連結部材１８の各端部は、エポキシ樹脂３０などの固定物質によって凹部２６内にしっかりと固定されている。この固定物質は、各連結部材１８の周囲のオーバーサイズ直径の隙間の容量を満たす。固定物質の保持力及び外観を良くするために、そのようなエポキシ樹脂は、連結部材１８の周囲に残存する表面部分上の各スティックの端部１９，１９ａに塗布される。フェルール３６が、挿入された連結部材１８の周囲で各槍試合スティックの端部に配置され、かつ、画定穴２６の端部を超えて延びるように配置されて接合エポキシ樹脂を収容する穴２６を画定する。フェルール３６は、軽量金属（a light gauge metal）で作られることができるが、ＡＢＳプラスチックなどのプラスチック製スリーブである方が好ましい。プラスチック製スリーブは、連結部材１８を固定するエポキシ樹脂を含む。エポキシ樹脂は、各スティックの端部を超えて編組のポリプロピレン中を浸透して上方に流れない。エポキシ樹脂は、連結部材のしっかりとした固定を槍試合スティックの隣接端部に提供する。
【０００８】
図３乃至図７には、図１に示す用具の変形例を示している。特に、図３を参照すると、二つのリング４０，４２が各槍試合スティック４１，４３に追加されている。槍試合スティック４１と槍試合スティック４３は、可撓性部材４５で連結されている。槍試合スティックと連結部材は、他の点は図１の構成と同じである。各スティック上の第１のリング４０は、それらの連結部材端部１９、１９ａから略１０インチ（略２５．４ｃｍ）くらいに配置されている。各スティック上の第２のリング４２は、第１のリング４０よりも略５インチ（略１２．７ｃｍ）下方に配置されている。リング自身は、着色やテープあるいは他の便利な要素を含む種々の手法によって識別することができる。図示された実施例では、リングは、略８分の３インチ（略０．９５ｃｍ）であるが、この寸法は変更可能である。
【０００９】
槍試合スティックの底部には、ひもが取り付けられている（図４参照）。図示された実施例では、ひもは、革ひもあるいは他の可撓性のあるコードであり、槍試合スティックの底端部付近で各槍試合スティックにしっかりと結び付けられている。図４に示されるように、ひも５０は、個人が一方の手及び手首４５を通して入れることができ、かつ、スティックの下方の自由端部でスティックを握ることができるのに十分な長さである。一般的に、穴５８は、スティックの自由端部５６で各スティックに貫通され、ひも５０は、そこを通して配置され、くくられるか結びつけられて輪を提供する。しかしながら、他の手段、例えばクランプなどを用いることができる。
【００１０】
上述のように、リング４０，４２は、利点（advantage）を競技者の一方に提供するように設計されている。使用時では、双方の競技者は、一般的に同等あるいは標準位置で初め、すなわち、どちらの競技者もスティックの握りに関する利点を有していない。各競技者は、一方の手を第１（最上）リング４０の上方に配置し、すなわち、その手の下端が最上リングにちょうど隣接する。このことは、図５に示されている。競技者は、他方の手を革ひもの輪５０に通してそのスティックの底部に伸ばし、その手は、スティックの下端部でスティックを握る。それから、第１の槍試合競技が起こる。槍試合競技で一方の当事者、例えば、第１の競技での敗者などが利点を与えられるとした場合、前の競技での勝者、すなわち不利な立場にされる当事者は、彼又は彼女の上方の手を二つのリング４０、４２間の位置に下げる。このことは、利点、すなわち増加されたてこの効果を一方の当事者に提供し、それによって、その一方の当事者に次の競技を勝利するためのよりよい状況を与える。この配置は、図６に示されている。
【００１１】
望まれる場合、例えば第１の勝者が再び勝利する場合などには、その手の上端が第２のリングに隣接するように勝利当事者が彼又は彼女の上方の手を第２のリング４２より下に下げることによって、さらに利点を与えることができる。このことは、一方の当事者へのてこの利点を別の著しいレベルまで増加する。この配置は、図７に示されている。次に、競技がその基準で進行する。
【００１２】
改善された競技は、おそらく同等でない肉体的能力のために二人の競技者間で競技の利点をシフトするための構造上の基準を提供する。一時的に弱くなるかもしれない競技者は、通常の状況のもとで好敵手である通常の相手に対して、競技をすることを続けることが可能であるが、現在の状態のもとでは利点を持つかもしれない。この装置は、槍試合技術を教え、相手の行動を評価するための競技者の能力を助長すると共に、反動的で有益な技術の成長を共にするための格好の機会を提供する。改善された競技は、競技者に通常の位置で始めることを要求する必要がない。彼らは、合意を得た位置で始めることができる。
【００１３】
上記用具のちょっとした変形として、握り要素（ゴムなど）を三カ所の通常の手の位置に配置することができる。しかしながら、このことは改善された競技では必要でない。
【００１４】
従って、上記米国特許第３，３２３，７９６号に示された槍試合競技の改善点は、二人の競技者間での不均等を同等にするために、特定の状態のもとで一方の当事者に利点を提供することであると説明された。
【００１５】
本発明の好適実施例は、明白にするために明細書中に説明されているが、特許請求の範囲によって画定された本発明の精神から外れないで種々の変形、改良及び代用を組み入れることができるということを理解されるであろう。
【図面の簡単な説明】
【００１６】
【図１】図１は、槍試合競技中の関係者を示す本発明の槍試合用具の斜視図である。
【図２】図２は、図１に示す二つの槍試合スティックの端部間で可撓性部材を位置保持するアンカー構造を示す拡大部分断面図である。
【図３】図３は、本発明の改善された槍試合用具を詳細に示す。
【図４】図４は、使用状態での改善された槍試合用具の一つの個別的な特徴を示す。
【図５】図５は、競技者の一人に対する使用状態での典型的な握りの配置を示す。
【図６】図６は、競技者の一人による使用中の第１の代替的な握りの配置を示す。
【図７】図７は、競技者の一人による使用中の第２の代替的な握りの配置を示す。
【図１】
2005516749.tif 000003
【図２】
2005516749.tif 000004
【図３】
2005516749.tif 000005
【図４】
2005516749.tif 000006
【図５】
2005516749.tif 000007
【図６】
2005516749.tif 000008
【図７】
2005516749.tif 000009
【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
改善された槍試合用具であって、
前記改善された槍試合用具は、それぞれのスティックの端部内にしっかりと固定された可撓性のある連結部材で互いにつながれた二つの細長いスティックを備えており、
前記連結部材は、該連結部材に対する前記スティックの回転及び縦の双方に動くことを防止するために該スティック内にしっかりと固定されており、
前記連結部材は、互いに対するそれぞれのスティックの動きを与えると共に、上記用具が槍試合用として用いられることを許容するように十分に長く、かつ、十分にしっかりと固定されており、
各槍試合スティックは、該スティックの上端から略２５．４ｃｍくらいに配置された第１の表示と、前記第１の表示よりも１２．７ｃｍ乃至１５．２４ｃｍの範囲内で下方に配置された第２の表示とを有しており、前記スティックの上端と前記第１の表示との間には表示がなく、また、前記第１の表示と前記第２の表示との間には表示がなく、
前記表示は、三つの位置にて、選択された位置を、選択された競技者の上方の手に対して提供し、
前記三つの位置は、
選択された競技者及び相手の双方に対する槍試合競技用の通常の位置である第１の位置と、
前記第１の位置での相手に関して、前記槍試合競技で選択された競技者に不利な立場を提供する前記第１の位置よりも下方にある第２の位置と、
前記第１の位置での相手に関して、前記槍試合競技で選択された競技者にさらに不利な立場を提供する前記第２の位置よりも下方にある第３の位置であることを特徴とする槍試合用具。
【請求項２】
請求項１に記載の槍試合用具において、
前記第１の位置では、上方の手の下端は前記第１の表示に隣接して配置され、前記第２の位置では、前記上方の手は二つの表示の間に配置され、前記第３の位置では、前記上方の手の上端が、前記第２の表示に隣接して配置されていることを特徴とする槍試合用具。
【請求項３】
請求項１に記載の槍試合用具において、
各スティックは、スティックの下端部に、輪に形成された可撓性のあるひも要素を有しており、競技者は、他方の手をひも要素を通して伸ばし、上記スティックの下端を握るようになっていることを特徴とする槍試合用具。
【国際調査報告】
2005516749.tif 000010